(57)【要約】【課題】発光部の実効面積を拡大して低電流で高輝度の有機発光素子を用いた有機発光表示装置を得る。【解決手段】透明基板ＳＵＢ側に形成した下部透明電極ＥＡと、有機発光層ＬＭと、該有機発光層ＬＭの上層に形成した上部反射電極ＥＫとの多層構造膜が、透明基板ＳＵＢ側に凹となる如く形成された凹陥ＡＬＣ１を有し、かつ透明基板ＳＵＢとは反対側に凸となる複数の突出部ＰＪ１を有する如く形成される。そして凹陥ＡＬＣ１と透明基板ＳＵＢとの間に透明な有機絶縁層の山形部ＯＰＡＳを配置し、有機発光層ＬＭの実効面積を画素部の面積より拡大して発光光の略全てを透明基板ＳＵＢ方向に取り出す。【選択図】          図２
2004235019.tif 000002
【特許請求の範囲】
【請求項１】
透明基板上にマトリクス配置した有機発光素子および該有機発光素子を駆動するアクティブ素子とを有する画素駆動回路とからなる複数の画素部をマトリクス配置した有機発光表示装置であって、
前記有機発光素子は、前記透明基板側に形成した下部透明電極と、有機発光層と、該有機発光層の上層に形成した上部反射電極との多層構造膜からなる発光領域を有し、前記有機発光層の発光光を前記下部透明電極側から前記透明基板を通して取出す如く構成されており、
前記多層構造膜は、前記画素部内において前記透明基板側に凹となる如く形成された凹陥を持ち、前記透明基板とは反対側に凸となる突出部を有し、
前記突出部の前記凹陥と前記透明基板との間に透明有機絶縁層を有することを特徴とする有機発光表示装置。
【請求項２】
前記凹陥の形状が、前記透明基板側に開口縁を有して前記透明基板に垂直な面での断面が碗形状であることを特徴とする請求項１に記載の有機発光表示装置。
【請求項３】
前記凹陥の形状が、平坦な中央部の周囲から前記透明基板側に漸次拡大して開放する斜面を有して前記透明基板に垂直な面での断面が台形形状であることを特徴とする請求項１に記載の有機発光表示装置。
【請求項４】
前記凹陥の前記透明基板側端縁が、前記画素部の前記発光領域の端縁を超えないことを特徴とする請求項２または３に記載の有機発光表示装置。
【請求項５】
前記凹陥を有する突出部が画素部内に複数併設されていることを特徴とする請求項１〜４に何れかに記載の有機発光表示装置。
【請求項６】
前記アクティブ素子が低温多結晶シリコンチャネルを有する薄膜トランジスタであることを特徴とする請求項１〜５の何れかに記載の有機発光表示装置。
【発明の詳細な説明】
【０００１】
【発明の属する技術分野】
本発明は、有機発光表示装置に係り、特に発光光の利用効率を高めて輝度を向上した有機発光表示装置に関する。
【０００２】
【従来の技術】
近年、次世代平面型の表示装置の一つとして、有機発光素子を用いた表示装置が注目されている。この有機発光素子を用いた表示装置（以下、有機発光表示装置と称する）は、自発光、広視野角、高速応答特性といった優れた特性を有する。従来の有機発光素子の構造は、ガラスを好適とする透明基板上にＩＴＯ等の第１電極と、この第１電極上に積層された正孔輸送層、発光層、電子輸送層等からなる有機発光層、および有機発光層の上に形成された低仕事関数の第２電極で構成される。そして、上記第１電極と第２電極の間に数Ｖ程度の電圧を印加することで、各電極にそれぞれ正孔、電子が注入され、それぞれ正孔輸送層、電子輸送層を経由し発光層で結合してエキシトンが生成され、このエキシトンが基底状態に戻る際に発光するというものである。この発光光は第１電極を透明電極とし、第２電極を反射電極とした、所謂ボトムエミッション型では当該第１電極を透過して透明基板側から取り出される。
【０００３】
図６はボトムエミッション型の有機発光表示装置を構成する一画素の有機発光素子の構造例を説明する断面模式図である。この有機発光表示素子は、ガラスを好適とする透明基板ＳＵＢ上に第１電極である通常は陽極となる下部透明電極（以下、陽極ＥＡ）を有し、この陽極ＥＡの上層に正孔輸送層、発光層、電子輸送層からなる有機発光層ＯＬＥが積層され、さらにその上に第２電極である通常は陰極となる上部反射電極（以下、陰極ＥＫ）が積層された多層構造膜で構成される。なお、参照符号ＩＮＳ１，ＩＮＳ２は絶縁層であり、通常は窒化シリコン（ＳｉＮ）等の無機絶縁材料で形成される。そして、封止板ＳＢで多層構造膜を環境から遮断して湿気等の浸入による有機発光層ＯＬＥの劣化を抑制している。
【０００４】
このような有機発光素子を画素部に用いた有機発光表示装置には、単純マトリクス型の有機発光表示装置とアクティブ・マトリクス型の有機発光表示装置がある。単純マトリクス型の有機発光表示装置では、複数の陽極ライン（陽極配線とも称する）と陰極ライン（陽極配線とも称する）が交差した位置に正孔輸送層、発光層、電子輸送層等の有機層からなる多層構造膜を形成し、各画素を１フレーム期間中の選択時間のみ点灯する。上記選択時間は、１フレーム期間を陽極ライン数で除した時間幅となる。単純マトリクス有機発光表示装置は構造が単純であるという利点を有する。
【０００５】
しかし、画素数が多くなると選択時間が短くなる。そのため、駆動電圧を高くして選択時間中の瞬間輝度を高くし、１フレーム期間中の平均輝度を所定の値にする必要がある。この場合、有機発光素子の寿命が短くなるという問題が生じる。また、有機発光素子は電流駆動であるため、特に大画面とした有機発光表示装置では、陽極ラインや陰極ラインの配線長が長くなり、その配線抵抗による電圧降下が生じて各画素に均一に電圧の印加がなされなくなる。その結果、表示装置の面内での輝度ばらつきが発生する。このような理由で、単純マトリクス型の有機発光表示装置では高精細、大画面化に限界がある。
【０００６】
一方、アクティブ・マトリクス型の有機発光表示装置では、各画素を構成する有機発光素子に２〜４個の薄膜トランジスタ等のアクティブ素子と容量とから構成される画素駆動回路が接続され、また有機発光素子に電流を供給する電源線が設けられており、１フレーム期間中に全ての画素の点灯が可能な構造となっている。そのため、輝度を高くする必要がなく、有機発光素子の寿命を長くすることができる。このような理由から、表示画面の高精細化および大画面化においては、アクティブ・マトリクス型の有機発光表示装置が有利であると考えられている。なお、以下の説明では、アクティブ素子を薄膜トランジスタとして説明するが、他のアクティブ素子であってもよいことは言うまでもない。
【０００７】
前記したように、発光光を透明基板側から取出す形式のアクティブ・マトリクス型の有機発光表示装置はボトムエミッション型とも呼ばれる。この形式の有機発光表示装置では、透明基板と有機発光素子を構成する多層構造膜の間に画素駆動回路を設けると、有機発光素子の発光光を遮ることになり、所謂開口率が制限される。特に大画面とした場合には、電源線の電圧降下による画素間の輝度ばらつきを低減するため、電源線の幅を広げる必要があり、この開口率が小さくなる。また、有機発光素子を駆動する薄膜トランジスタのバイアス電圧や信号電圧を保持するための容量を大きく取ろうとすると、容量電極の面積が大きくなり、開口率が小さくなる。また、従来の有機発光表示装置では、当該発光層が発光した光に利用効率は十分なものではないため、高輝度化は難しい。
【０００８】
【特許文献１】
特開平１０−２０８８７５号公報
【０００９】
【発明が解決しようとする課題】
図７は従来の有機発光表示装置を構成する有機発光素子における発光光の出射形態を説明する図６の矢印Ａ部分の拡大図である。図７において、透明基板ＳＵＢ上に形成された下部透明電極（陽極ＥＡ）、有機発光層ＯＬＥ、上部反射電極（陰極ＥＫ）からなる多層構造膜は当該透明基板ＳＵＢの面と平行な平面となるように形成されている。すなわち、図７の有機発光層ＯＬＥの一点Ｐの発光光は、透明基板ＳＵＢから直接出射する光Ｌｍ、上部反射電極ＥＫで反射されて透明基板ＳＵＢから出射する光Ｌｒは表示に利用される。しかし、透明基板ＳＵＢと平行（略平行も含む、以下同じ）な方向の光Ｌｆは表示には利用されず、無駄となる。
【００１０】
画素部における有機発光層ＯＬＥは透明基板面ＳＵＢに平行であるため、その発光面積は画素部の面積で規制されるため、有機発光層ＯＬＥの発光光の輝度を上げるためには電流量を増加させなければならない。しかし、電流量を増加させると、電気化学反応による多層構造膜を構成する有機材料の変質が促進されて寿命が短くなる。
【００１１】
有機発光層ＯＬＥの面積を大きくするため、「特許文献１」に記載のように、透明基板の面を溶剤で加工して凸状にしたものがある。しかし、「特許文献１」では、基板形成プロセスで溶剤を使用する溶解工程で有機発光層が汚染されるおそれがあり、信頼性を確保するのが難しい。
【００１２】
本発明の目的は、有機発光層からなる発光部の面積を画素部の面積よりも広くして実効的な発光部面積を拡大すると共に、当該有機発光層からの光を透明基板側に有効に取り出す構造とすることにより、低電流で高輝度の有機発光素子を用いた有機発光表示装置を提供することにある。
【００１３】
【課題を解決するための手段】
上記目的を達成するために、本発明による有機発光表示装置は、その有機発光素子の下部透明電極と上部反射電極で挟持した有機発光層からなる多層構造膜に透明基板側に凹となる１または複数の凹陥を形成し、この凹陥に有機絶縁膜を充填した構造を特徴とする。すなわち、本発明の有機発光表示装置を構成する有機発光素子は、透明基板上にマトリクス配置した有機発光素子および該有機発光素子を駆動する薄膜トランジスタ等のアクティブ素子とを有する画素駆動回路とからなる複数の画素部をマトリクス配置してなる。
【００１４】
上記有機発光素子は、上記透明基板側に形成した下部透明電極と、有機発光層と、該有機発光層の上層に形成した上部反射電極との多層構造膜からなる画素単位の画素部を構成する発光領域をマトリクス状に多数有し、上記有機発光層の発光光を下部透明電極側から透明基板を通して取出す如く構成される。そして、上記多層構造膜は、画素部内において透明基板側に凹となる如く形成された凹陥を持ち、前記透明基板とは反対側に凸となる複数の突出部を有する。この突出部の上記凹陥と透明基板との間に透明な有機絶縁層を配置する。
【００１５】
凹陥の形状を透明基板側に開口縁を有して当該透明基板に垂直な面での断面が碗形状あるいはこれと類似の形状（お碗を伏せたような形状、例えば開口縁が楕円形、多角形、不定形等、以下、これらを含めて碗形状と言う）とすることで、発光面積を画素部の面積より広くすることができる。そして、この多層構造膜を構成する有機発光層の発光光は、透明基板方向に直接出射する光に加えて、碗形状の上部反射電極の内面で反射した光も透明基板方向に指向される。また、凹陥の形状を平坦な中央部の周囲から透明基板側に漸次拡大して開放する斜面を有して透明基板に垂直な面での断面が台形形状あるいはこれと類似の形状（以下、これを含めて台形形状と言う）、碗形状と台形形状を組み合わせた形状とすることで、多層構造膜を構成する有機発光層の発光光は、透明基板方向に直接出射する光に加えて、台形形状あるいは碗形状と台形形状を組み合わせた形状上部反射電極の内面で反射した光も透明基板方向に指向される。
【００１６】
また、凹陥の透明基板側端縁を画素部の発光領域の端縁を超えないようにして、当該凹陥の開口縁や斜面から透明基板に平行な方向への光の抜けを防止し、発光光の略全てを透明基板方向に取り出して発光光の利用効率を向上する。
【００１７】
これにより、画素部の発光面積が実質的に拡大し、低電流で高輝度の発光光を透明基板側から取り出すことができ、従来の構造において発生する高輝度化のための電流量増大による有機発光層の電気科学反応を抑制して長寿命化を図ることができる。
【００１８】
なお、本発明は、上記の構成および後述する実施の形態で説明する構成に限るものではなく、本発明の技術思想を逸脱することなく、種々の変更が可能であることは言うまでもない。
【００１９】
【発明の実施の形態】
以下、本発明による有機発光表示装置の実施の形態について、実施例の図面を参照して詳細に説明する。
【００２０】
図１は本発明の第１実施例を説明する有機発光表示装置を構成する有機発光素子の一画素付近の要部平面図である。また、図２は図１のＡ−Ａ’線に沿った断面図である。本実施例の有機発光表示素子は、図２に断面で示したように透明基板側ＳＵＢ上に複数の山形部ＯＰＡＳ１を有する。この山形部ＯＰＡＳ１は透明な有機絶縁層で形成される。そして、画素部ＰＡを構成する第１電極（ここでは陽極、以下陽極ＥＡとする）が山形部ＯＰＡＳ１を覆って形成されている。陽極ＥＡの上層には有機発光層ＯＬＥが形成されている。有機発光層ＯＬＥの上には、さらに第２電極（ここでは陰極、以下陰極ＥＫとする）が積層形成されている。有機発光層ＯＬＥは、基本的には、正孔輸送層ＨＴ、発光層ＬＭ、電子輸送層ＥＴが陽極ＥＡ側から陰極ＥＫ側に積層されて構成される。
【００２１】
図２において、ＩＮＳ１，ＩＮＳ２は絶縁層であり、通常は窒化シリコン（ＳｉＮ）等の無機絶縁材料で形成され、データ信号線ＤＬ、走査信号線ＧＬ、電源線ＣＬの絶縁や、陽極ＥＡと陰極ＥＫの絶縁を取ると共に、画素部ＰＡの周縁に隣接画素との境界を形成するための堤部（バンク）となっている。また、図１における参照符号ＩＮＳ３は走査信号線ＧＬとデータ信号線ＤＬおよび電源線ＣＬの交差部の絶縁層である。有機発光層ＯＬＥの発光光Ｌは透明基板ＳＵＢから大矢印方向に取り出される。
【００２２】
図１に平面形状を示したように、これら陽極ＥＡ、有機発光層ＯＬＥ、陰極ＥＫの多層積層構造膜は画素部ＰＡ内において上記山形部ＯＰＡＳ１の表面形状に倣った形状を有する。本実施例では、画素部ＰＡの領域内において透明基板側ＳＵＢ側に凹となる如く形成された凹陥ＡＬＣ１を有し、透明基板ＳＵＢとは反対側に凸となる複数の伏せた碗形状（以下、単に碗形状）の７個の突出部ＰＪ１が形成されている。本実施例では、一画素は１方向に延びるデータ信号線ＤＬと１方向と交差する他方向に延びる走査信号線ＧＬ、およびデータ信号線ＤＬに平行かつ近接して延びる電源線ＣＬで囲まれた領域に形成されている。画素部ＰＡの隅には薄膜トランジスタで構成された画素駆動回路ＤＶＣを有している。
【００２３】
図３は図２における突出部の一個を拡大して有機発光層の発光光の出射を説明するための断面図である。本実施例の突出部ＰＪ１は陽極ＥＡ、有機発光層ＯＬＥ、陰極ＥＫの多層積層構造膜の碗形状の凹陥ＡＬＣ１に形成された透明な有機絶縁材の碗形状の山形部ＯＰＡＳ１で構成されている。有機発光層ＯＬＥの一点Ｐの発光光は透明基板ＳＵＢから直接出射する直接光Ｌｍ、上部反射電極である陰極ＥＫで反射して透明基板ＳＵＢから出射する反射光Ｌｒ１、陰極ＥＫと下部透明電極である陽極ＥＡで多重反射して透明基板ＳＵＢから出射する多重反射光Ｌｒ２である。このように、有機発光層ＯＬＥの一点Ｐの発光光の略全て（多層構造膜や山形部ＯＰＡＳ１、あるいは透明基板ＳＵＢでの吸収を考慮しない。以下、同様）は透明基板ＳＵＢから取り出される。
【００２４】
また、図から明らかなように、凹陥ＡＬＣ１と突出部ＰＪ１の間に構成した有機発光部の面積は、当該有機発光部の多層構造膜が透明基板ＳＵＢの面と平行な平坦形状である前記図６、図７で説明した従来のものと比べて広くなっている。したがって、発光に寄与する面積は実質的に拡大されたものとなり、平面的に見た画素部ＰＡの面積が同じでも実質的な発光面積は拡大されたものとなり、一画素の発光光量が多くなる。なお、凹陥ＡＬＣ１を有する突出部ＰＪ１は画素内で１個としてもよいが、複数形成するのが望ましい。特に、碗形状の山形部ＯＰＡＳ１の凹陥ＡＬＣ１に充填する如く形成される有機絶縁層からの水分等の不要物が有機発光層ＯＬＥを劣化させるのを防止するために、小さな突出部ＰＪ１を複数形成し、これをＩＴＯからなる陽極ＥＡで完全に被覆するのが好ましい。
【００２５】
このように、本実施例では、陽極ＥＡと有機発光層ＯＬＥおよび該有機発光層の上層に形成した陰極ＥＫとの多層構造膜を、画素部ＰＡ内において該透明基板ＳＵＢ側に凹となる如く形成された凹陥ＡＬＣ１を持って該透明基板ＳＵＢとは反対側に凸となる複数の碗形状の突出部ＰＪ１を形成し、この突出部ＰＪ１の上記凹陥ＡＬＣ１と上記透明基板ＳＵＢとの間の碗形状の山形部ＯＰＡＳ１に透明な有機絶縁材料を充填するごとく形成してある。その結果、取り出される光の量も多くなり、図６、図７に示した従来構造に比べ、電流量を増大させることなく高輝度化を図ることができる。
【００２６】
図４は本発明の第２実施例を説明する有機発光表示装置を構成する有機発光素子の一画素付近の要部を示す図３と同様の断面図である。本実施例における画素の平面構成は画素部に形成した凹陥ＡＬＣ２を有する透明基板ＳＵＢに直角な面での断面が当該基板側に開放する台形形状の突出部ＰＪ２の形状と断面が突出部ＰＪ２に倣った台形形状の山形部ＯＰＡＳ２の形状を除いて図１と同様である。すなわち、本実施例では、突出部ＰＪ２の透明基板ＳＵＢ側に開放する凹陥ＡＬＣ２の形状を、当該凹陥ＡＬＣ２の底面の中央部に平坦部を有し、当該中央部の周囲から透明基板ＳＵＢ側に漸次拡大して開放する斜面を有して該透明基板ＳＵＢに垂直な面での断面が台形形状を持つものとした。
【００２７】
本実施例の台形形状の突出部ＰＪ２は陽極ＥＡ、有機発光層ＯＬＥ、陰極ＥＫの多層積層構造膜の断面が台形形状の山形部ＯＰＡＳ２の凹陥ＡＬＣ２に透明な有機絶縁材を形成してある。図４において、有機発光層ＯＬＥの一点Ｐの発光光は透明基板ＳＵＢから直接出射する直接光Ｌｍ、上部反射電極である陰極ＥＫで反射して透明基板ＳＵＢから出射する反射光Ｌｒ１、陰極ＥＫと下部透明電極である陽極ＥＡで多重反射して透明基板ＳＵＢから出射する多重反射光Ｌｒ２である。このように、有機発光層ＯＬＥの一点Ｐの発光光の略全ては透明基板ＳＵＢから取り出される。
【００２８】
また、図４から明らかなように、凹陥ＡＬＣ２と台形形状の突出部ＰＪ２で構成される画素の発光層である多層構造膜の面積は、当該画素の多層構造膜が透明基板ＳＵＢの面と平行な平坦形状である前記図６、図７で説明した従来のものと比べて広くなっている。したがって、発光に寄与する面積は実質的に拡大されたものとなり、平面的に見た画素部ＰＡの面積が同じでも実質的な発光面積は拡大されたものとなる。なお、凹陥ＡＬＣ２を有する台形形状の突出部ＰＪ２は一画素内で１個としてもよいが、画素内での輝度均一性を考慮すれば複数形成するのが望ましい。特に、台形形状の山形部ＯＰＡＳ２の凹陥ＡＬＣ２に形成される有機絶縁層からの水分等の不要物が有機発光層ＯＬＥを劣化させるのを防止するために、台形形状の突出部ＰＪ２の平面面積を小さくして複数形成し、これをＩＴＯからなる陽極ＥＡで完全に被覆するのが好ましい。
【００２９】
このように、本実施例では、陽極ＥＡと有機発光層ＯＬＥおよび該有機発光層の上層に形成した陰極ＥＫとの多層構造膜を、画素部ＰＡ内において該透明基板ＳＵＢ側に凹となる如く形成された台形形状の山形部ＯＰＡＳ２の凹陥ＡＬＣ２を持って該透明基板ＳＵＢとは反対側に凸となる複数の台形形状の突出部ＰＪ２を形成し、この突出部ＰＪ２の上記凹陥ＡＬＣ２と上記透明基板ＳＵＢとの間に透明な有機絶縁層ＯＰＡＳ２が充填される如く形成した。その結果、取り出される光の量も多くなり、図６、図７に示した従来構造に比べ、電流量を増大させることなく高輝度化を図ることができる。
【００３０】
なお、本発明における凹陥の形状は、上記の各実施例に示したものに限るものではなく、例えば透明基板ＳＵＢ側に開いた三角形状、多角形状、円錐形状、楕円錐形状、その他有機発光層の発光光を透明基板ＳＵＢ方向に反射させるような形状をもつ陰極ＥＫであり、その凹陥に透明な有機絶縁材料を充填するごとく形成したものでも上記各実施例と同様の効果を獲ることができる。
【００３１】
上記した凹陥に充填するごとく形成される透明な有機絶縁材料は、低温多結晶シリコン・チャネルを有する薄膜トランジスタの有機ＰＡＳ膜製造プロセスを用いて形成できる。すなわち、この透明な有機絶縁材料は、透明基板ＳＵＢ上に有機材料として、例えばアクリル系樹脂等の有機材料の溶液をスピン塗布等で塗布し、プリベーク、マスク露光、現像、現像後ベーク（脱色ベーク：ポストベーク）することで、所望の寸法の山形部（ＯＰＡＳ１，ＯＰＡＳ２）を精度よく形成することができる。この上に陽極ＥＡとしてＩＴＯを形成し、さらに有機発光層ＯＬＥを、そして最上層に陰極ＥＫを形成する。
【００３２】
なお、上記有機材料の具体例としては、特許第２８９３８７５号に開示された有機材料、特開２０００−１３１８４６号公報に開示の感放射線性（感光性）材料を用いることができる。そして、本発明の第１実施例のような碗形状の山形部を形成する場合には、上記の有機材料を透明基板上に塗布し、この塗膜に所定距離をもって上記山形部に対応した多数の開口をもつマスクを配置し、マスクを介して紫外線を照射する。その結果、照射される塗膜上の紫外線の強度に傾斜が生じ、マスクのそれぞれの開口の中央部から周辺にかけての架橋反応が順次弱くなり、表面がなだらかな碗形状の山形部を形成される。
【００３３】
また、本発明の第２実施例に示したような台形形状の山形部は、上記マスクの開口面積を大きくするか、あるいはマスクと塗膜の距離をさらに大きくすることで形成できる。
【００３４】
このように、本発明の透明な有機絶縁材料からなる山形部は有機発光層の成膜前に形成されるため、山形部のプロセスが有機発光層の材料に影響を与えることがなく、したがって、前記した従来例の如き有機発光層の劣化を招くことがない。
【００３５】
図５は本発明を適用する有機発光素子の一画素の等価回路例の説明図である。図５において、参照符号ＧＬは走査信号線、ＤＬはデータ信号線、ＣＬは電源線を示す。この回路では、走査信号線ＧＬとデータ信号線ＤＬに接続した第１の薄膜トランジスタＴＦＴ１と、電源線ＣＬと有機発光素子ＯＬＥＤに接続した第２の薄膜トランジスタＴＦＴ２、および電源線ＣＬから充電される容量ＣＰで構成される。第１の薄膜トランジスタＴＦＴ１、第２の薄膜トランジスタＴＦＴ２および容量ＣＰで画素駆動回路が構成される。
【００３６】
走査信号線ＧＬで選択された第１の薄膜トランジスタＴＦＴ１はデータ信号線ＤＬから印加される信号データに応じて容量ＣＰを充填する。第２の薄膜トランジスタＴＦＴ２には容量ＣＰに充填された信号データの電荷量に応じて電源線ＣＬから電流が流れ、流れる電流値に応じて発光する。このような画素をマトリクス状に複数配置して平面型の表示素子が構成される。この表示素子の周辺に画素駆動回路を制御する表示制御回路等を組み込んで有機発光表示装置が構成される。
【００３７】
本発明の有機発光表示装置は、携帯電話機や可搬型情報端末（ＰＤＡ）に限らず、パソコン、各種モモニター、テレビ受像機の表示デバイスとして使用できる。
【００３８】
【発明の効果】
以上説明したように、本発明によれば、有機発光層からなる発光部（画素）の面積を画素領域の面積よりも広くして実効的な発光部面積を拡大できると共に、当該有機発光層からの光を透明基板側に有効に取り出すことが可能となり、低電流で高輝度の有機発光素子を用いた有機発光表示装置を提供することができる。
【図面の簡単な説明】
【図１】本発明の第１実施例を説明する有機発光表示装置を構成する有機発光素子の一画素付近の要部平面図である。
【図２】図１のＡ−Ａ’線に沿った断面図である。
【図３】図２における突出部の一個を拡大して有機発光層の発光光の出射を説明するための断面図である。
【図４】本発明の第２実施例を説明する有機発光表示装置を構成する有機発光素子の一画素付近の要部を示す図３と同様の断面図である。
【図５】本発明を適用する有機発光素子の一画素の等価回路例の説明図である。
【図６】ボトムエミッション型の有機発光表示装置を構成する一画素の有機発光素子の構造例を説明する断面模式図である。
【図７】従来の有機発光表示装置を構成する有機発光素子における発光光の出射形態を説明する図６の矢印Ａ部分の拡大図である。
【符号の説明】
ＳＵＢ・・・・透明基板、ＯＬＥ・・・・有機発光層、ＯＰＡＳ１，２・・・・・山形部、ＰＡ・・・・画素部、ＨＴ・・・・正孔輸送層、ＬＭ・・・・発光層、ＥＴ・・・・電子輸送層、ＡＬＣ１，２・・・・凹陥、ＰＪ１，２・・・・突出部、ＤＶＣ・・・・画素駆動回路、ＤＬ・・・・データ信号線、ＧＬ・・・・走査信号線、ＣＬ・・・・電源線。
【図１】
2004235019.tif 000003
【図２】
2004235019.tif 000004
【図３】
2004235019.tif 000005
【図４】
2004235019.tif 000006
【図５】
2004235019.tif 000007
【図６】
2004235019.tif 000008
【図７】
2004235019.tif 000009